(57)【要約】【課題】ＩＤカードを発行する発券機が複数存在する場合でもＩＤカードが二重に発行されないＩＤカード発行管理装置及びＩＤカード発行管理プログラムを提供する。【解決手段】ＩＤカード発行管理装置は、ユーザに固有に割り当てられる識別子であるＩＤごとにＩＤカードのステータスを格納する記憶部と、通信回線網を介して複数の発券機と通信を行う通信部と、ステータスが発券機の排他制御を示す場合、ＩＤカードの発券を行っている一つの発券機にＩＤカードの発券を許可し、他の発券機にＩＤカードの発券を禁止する制御部と、を備える。【選択図】図１
2015219843.tif 000002
【特許請求の範囲】
【請求項１】
ユーザに固有に割り当てられる識別子であるＩＤごとにＩＤカードのステータスを格納する記憶部と、
通信回線網を介して複数の発券機と通信を行う通信部と、
前記ステータスが前記発券機の排他制御を示す場合、前記ＩＤカードの発券を行っている一つの前記発券機に前記ＩＤカードの発券を許可し、他の前記発券機に前記ＩＤカードの発券を禁止する制御部と、
を備えるＩＤカード発行管理装置。
【請求項２】
前記制御部は、
前記通信部を介して前記ＩＤカード発行管理装置に接続し、前記ＩＤカードを利用する連携システムから前記ＩＤを受信した場合、受信した前記ＩＤに基づいて前記記憶部を検索して前記ステータスを読み出し、前記ステータスが前記連携システムにおいて前記ＩＤカードの使用を許否する旨を示す場合に使用を許否する旨の信号を前記連携システムに送信する請求項１記載のＩＤカード発行管理装置。
【請求項３】
前記制御部は、
前記通信部を介して前記ＩＤカード発行管理装置に接続する個人情報管理システムから新規の前記ＩＤ含む個人情報を受信した場合、前記記憶部に新規な前記ＩＤ及びＩＤカードの発行を予約する旨のステータスを格納し、
前記ＩＤカードの発行指示が入力された場合、前記ステータスが発行を予約する旨を示す場合にＩＤカードの発行を許可する請求項１記載のＩＤカード発行管理装置。
【請求項４】
前記制御部は、
前記通信部を介して前記ＩＤカード発行管理装置に接続し、前記ＩＤカードを利用する連携システムに、前記記憶部から読み出した前記ＩＤと、前記記憶部から読み出した前記ＩＤごとの前記ステータスに基づいて生成した前記連携システムにおける前記ＩＤカードの使用許否を示す使用許否情報と、を送信する請求項１記載のＩＤカード発行管理装置。
【請求項５】
ユーザに固有に割り当てられる識別子であるＩＤごとにＩＤカードのステータスを格納する記憶部と、
通信回線網を介して複数の発券機と通信を行う通信部と、
を備えるＩＤカード発行管理装置を、
前記ステータスが前記発券機の排他制御を示す場合、前記ＩＤカードの発券を行っている一つの前記発券機に前記ＩＤカードの発券を許可し、他の前記発券機に前記ＩＤカードの発券を禁止する排他制御手段として機能させるためのＩＤカード発行管理プログラム。
【請求項６】
前記ＩＤカード発行管理装置を、
前記通信部を介して前記ＩＤカード発行管理装置に接続し、前記ＩＤカードを利用する連携システムから前記ＩＤを受信した場合、受信した前記ＩＤに基づいて前記記憶部を検索して前記ステータスを読み出すステータス確認手段と、
前記ステータスが前記連携システムにおいて前記ＩＤカードの使用を許否する旨を示す場合に使用を許否する旨の信号を前記連携システムに送信する使用拒否制御手段と、
としてさらに機能させるための請求項５記載のＩＤカード発行管理プログラム。
【請求項７】
前記ＩＤカード発行管理装置を、
前記通信部を介して前記ＩＤカード発行管理装置に接続する個人情報管理システムから新規の前記ＩＤ含む個人情報を受信した場合、前記記憶部に新規な前記ＩＤ及びＩＤカードの発行を予約する旨のステータスを格納する発行予約格納手段と、
前記ＩＤカードの発行指示が入力された場合、前記ステータスが発行を予約する旨を示す場合にＩＤカードの発行を許可する発行予約管理手段と、
として機能させるための請求項５記載のＩＤカード発行管理プログラム。
【請求項８】
前記ＩＤカード発行管理装置を、
前記通信部を介して前記ＩＤカード発行管理装置に接続し、前記ＩＤカードを利用する連携システムに、前記記憶部から読み出した前記ＩＤと、前記記憶部から読み出した前記ＩＤごとの前記ステータスに基づいて生成した前記連携システムにおける前記ＩＤカードの使用許否を示す使用許否情報と、を送信する使用許否情報送信手段として更に機能させるための請求項５記載のＩＤカード発行管理プログラム。
【発明の詳細な説明】
【技術分野】
【０００１】
本発明の実施形態は、ＩＤカード発行管理装置及びＩＤカード発行管理プログラムに関する。
【背景技術】
【０００２】
大学、企業、公官庁などにおいては入退出や各種サービスの売買取引の決済を、ＩＤカードを使用して行う場合が多い。
【０００３】
このＩＤカードは、学生や従業員などの利用者がＩＤカードを利用する資格を取得してから喪失するまでの間だけ、利用できるように管理する必要がある。また、紛失や氏名の変更による再発行の際に、ＩＤカードが二重に発行されないように管理する必要がある。
【０００４】
この点に関し、ＩＤカードの再発行の理由をデータベースによって管理し、紛失による再発行の場合は発行済みのカードを無効化する技術が提案されている。
【０００５】
しかし、ＩＤカードを利用するシステムが大規模化してくると、ＩＤカードを発行する発券機が複数存在する場合が出てくる。例えば、大学において複数のキャンパスがある場合、キャンパスごとにＩＤカードを再発行するための発券機が設置される。
【０００６】
このような場合、複数の発券機によって同時に再発行手続きを行うと、ＩＤカードが二重に発行される場合がある。
【先行技術文献】
【特許文献】
【０００７】
【特許文献１】特開２００９−９８９４４号公報
【発明の概要】
【発明が解決しようとする課題】
【０００８】
従って、ＩＤカードを発行する発券機が複数存在する場合でもＩＤカードが二重に発行されないＩＤカード発行管理装置及びＩＤカード発行管理プログラムが求められている。
【課題を解決するための手段】
【０００９】
上記の課題を解決するために、本発明の一実施形態は、ユーザに固有に割り当てられる識別子であるＩＤごとにＩＤカードのステータスを格納する記憶部と、通信回線網を介して複数の発券機と通信を行う通信部と、ステータスが発券機の排他制御を示す場合、ＩＤカードの発券を行っている一つの発券機にＩＤカードの発券を許可し、他の発券機にＩＤカードの発券を禁止する制御部と、を備えるＩＤカード発行管理装置を提供する。
【図面の簡単な説明】
【００１０】
【図１】ＩＤカード発行管理装置の構成を示すブロック図である。
【図２】トランザクションファイルのデータ構成を示す図である。
【図３】カード情報ファイルのデータ構成を示す図である。
【図４】ステータスの内容を示す図である。
【図５】ＩＤカード発行管理装置の制御部によるカード情報生成処理動作を示すフローチャートである。
【図６】ＩＤカード発行管理装置の制御部によるカード発券動作を示すフローチャートである。
【図７】ＩＤカード発行管理装置と連携システムとの動作を示すフローチャートである。
【図８】ＩＤカード発行管理装置と連携システムとの動作の他の例を示すフローチャートである。
【発明を実施するための形態】
【００１１】
以下、ＩＤカード発行管理装置及びＩＤカード発行管理プログラムの一実施形態について、図面を用いて詳細に説明する。
【００１２】
本実施形態のＩＤカード発行管理装置は、ユーザに固有に割り当てられる識別子であるＩＤごとにＩＤカードのステータスを格納する記憶部と、通信回線網を介して複数の発券機と通信を行う通信部と、ステータスが発券機の排他制御を示す場合、ＩＤカードの発券を行っている一つの発券機にＩＤカードの発券を許可し、他の発券機にＩＤカードの発券を禁止する制御部と、を備える。
【００１３】
図１は、ＩＤカード発行管理装置１の構成を示すブロック図である。図１に示すように、ＩＤカード発行管理装置（以下、発行管理装置という。）は、制御部１０１、記憶部１０２、入出力部１０３、及び通信部１０４を備える。
【００１４】
制御部１０１は、ＣＰＵ（ｃｅｎｔｒａｌ  ｐｒｏｃｅｓｓｉｎｇ  ｕｎｉｔ）などの演算装置を含む。
【００１５】
記憶部１０２は、メモリ、ハードディスクドライブなどの記憶装置を含む。記憶部１０２は、トランザクションファイル１０２Ａと、ユーザ情報ファイル１０２Ｂと、カード情報ファイル１０２Ｃと、を備える。
【００１６】
トランザクションファイル１０２Ａは、別途設けられる個人情報管理システム３から通信部１０４を介して受信したトランザクションデータを格納する。トランザクションデータはＩＤカードの利用者であるユーザの個人情報を含む。
【００１７】
個人情報管理システム３においては、個人情報が随時変更される。この個人情報から所定のタイミングにてトランザクションデータが生成される。
【００１８】
ユーザ情報ファイル１０２Ｂは、前回受信したトランザクションデータを格納する。
【００１９】
カード情報ファイル１０２Ｃは、トランザクションファイル１０２Ａが格納する個人情報と、ユーザ情報ファイル１０２Ｂが格納する個人情報との差分から生成されるカード情報を格納する。
【００２０】
入出力部１０３は、ディスプレイなどの表示装置と、キーボード、マウスなどの入力装置と、を含む。
【００２１】
通信部１０４は、例えばインターネットなどの公衆通信回線網や、ＬＡＮなどの通信回線網を介して個人情報管理システム３、別途設けられる各種の連携システム４、及びＩＤカードを発行する複数の発券機２と接続する。
【００２２】
連携システム４はＩＤカードを利用できるシステムである。連携システム４としては、例えば食堂の決済システム、図書館の入退出及び貸出管理システムなどが挙げられる。
【００２３】
連携システム４はＩＤカードからＩＤを読み取ると、発行管理装置１に当該ＩＤカードが利用可能かどうかを問い合わせ、発行管理装置１から利用可能である旨の信号を受信した場合に、当該ＩＤに基づいて各種の処理を行う。
【００２４】
発券機２は、制御部、記憶部、入出力部、通信部、及びカード発行装置を備える。発券機２は、例えばパソコンにカード発行装置を接続したものを使用することができる。
【００２５】
図２は、トランザクションファイル１０２Ａのデータ構成を示す図である。図２に示すように、トランザクションファイル１０２Ａは、ユーザに固有に割り当てられる識別子である「ＩＤ」と、ＩＤカードの有効期間を示す「有効期間」と、例えば氏名、所属などのユーザの属性を示す「属性情報」と、を格納する。
【００２６】
各データの例は、ＩＤが「０００１」、有効期間が「２０１４０４０１−２０１５０３３１」、属性情報のうち氏名が「○山△男」、所属が「人事部」である。
【００２７】
ユーザ情報ファイル１０２Ｂのデータ構成は、トランザクションファイル１０２Ａのデータ構成と同様である。
【００２８】
図３は、カード情報ファイル１０２Ｃのデータ構成を示す図である。図３に示すように、カード情報ファイル１０２Ｃは、ＩＤと、再発行の回数を示す「再発行番号」と、ＩＤカードの発行状態を示す「ステータス」と、ＩＤカードの券面に表示する情報である「券面情報」と、を格納する。
【００２９】
各データの例は、ＩＤが「０００１」、再発行番号が「２」、ステータスが「排他中」、券面情報のうち氏名が「○山△男」、所属が「人事部」である。
【００３０】
図４は、ステータスの内容を示す図である。図４に示すように、ステータスは「発行予約」、「排他中」など複数ある。ステータスが変化すると、発券機の排他制御を行うか否か、発券機の発行許否制御を行うか否かの制御が変化する。
【００３１】
ここで発券機の排他制御とは、ＩＤカードの発券を行っている一つの発券機２のみにＩＤカードの発券を許可し、他の発券機２には発券を許可しない制御をいう。
【００３２】
排他制御の具体的方法は、発行管理装置１は例えば発券を許可する発券機２にはＩＤカードの発行に必要な情報を送信し、他の発券機２には発券を禁止するように制御する。ここで、他の発券機２に発券を禁止する制御は、発行管理装置１が他の発券機２にエラーコードを送信する制御、又は発行管理装置１が他の発券機２に発行に必要な情報を送信しない制御を選択できる。
【００３３】
ステータスが「排他中」である場合、発行管理装置１は一つの発券機のみに発券を許可し、連携システムにおける利用を許可しない。従って、ＩＤカードの二重発券を防止することが可能となる。
【００３４】
発券機の発行許否制御とは、発券機にＩＤカードの発行を許可するか否かの制御をいう。
【００３５】
連携システム利用制御とは、連携システム４においてＩＤカードを利用することを許可するか否かの制御をいう。
【００３６】
図４において、「発券」と「利用」は発行管理装置１による制御の結果を示す。「発券」が「可」の場合、発券機２からのＩＤカードの発券が可能となり、「不可」の場合、発券が不可能となる。また、図４の「利用」が「可」の場合、連携システム４においてＩＤカードの利用が許可され、「不可」の場合、利用が許可されない。
【００３７】
「発行予約」は、トランザクションファイル１０２Ａに存在し、ユーザ情報ファイル１０２Ｂに存在しない個人情報について生成され、カード情報ファイル１０２Ｃに格納されたカード情報が格納する。
【００３８】
ステータスが「発行予約」である場合、発行管理装置１は発券機の排他制御を行わず、発券機がＩＤカードを発行できるか否かの発行制御を行い、連携システム４におけるＩＤカードの利用を許可するか否かの利用制御を行う。ステータスが「発行予約」である場合、発行管理装置１は発券できるが、連携システム４における利用を許可しない。
【００３９】
「排他中」は、複数ある発券機２の一つにおいてＩＤカードの発券を開始した場合に、カード情報ファイル１０２Ｃに格納される。
【００４０】
ステータスが「排他中」である場合、発行管理装置１は発券機の排他制御を行い、発券機の発行制御を行い、連携システム４における利用制御を行う。
【００４１】
「発行委託中」は、ステータスが発行予約のカード情報のうち、外部業者に発券を委託した旨が入出力部１０３から入力された場合に、カード情報ファイル１０２Ｃに格納される。
【００４２】
ステータスが「発行委託中」である場合、発行管理装置１は発券機の排他制御を行わず、発券機の発券許否制御を行い、連携システム４における利用制御を行う。ステータスが「発行委託中」である場合、発行管理装置１は発券を許可せず、連携システム４における利用を許可しない。従って、ＩＤカードの二重発券を防止することが可能となる。
【００４３】
「発行済み・無効」及び「発行済み・有効」は、ＩＤカードが発行されており、連携システム４において利用の可否を制御する場合に、入出力部１０３の入力に基づいてカード情報ファイル１０２Ｃに格納される。
【００４４】
ステータスが「発行済み・無効」及び「発行済み・有効」の場合、発行管理装置１は発券機の排他制御及び発券機の発行許否制御を行わず、連携システム４における利用制御を行う。発行管理装置１は、ステータスが「発行済み・無効」の場合、連携システム４においてはＩＤカードの利用を許可せず、「発行済み・有効」の場合、連携システム４においてはＩＤカードの利用を許可する。
【００４５】
「配布前・無効」、「配布済み・無効」及び「配布済み・有効」は、ＩＤカードがユーザに配布されていない場合、また配布済みであっても連携システム４において利用の可否を制御する場合に、入出力部１０３の入力に基づいてカード情報ファイル１０２Ｃに格納される。
【００４６】
ステータスが「配布前・無効」、「配布済み・無効」及び「配布済み・有効」の場合、発行管理装置１は発券機の排他制御及び発券機の発行許否制御を行わず、連携システム４における利用制御を行う。発行管理装置１は、ステータスが「配布前・無効」及び「配布済み・無効」の場合、連携システム４においてはＩＤカードの利用を許可せず、「配布済み・有効」の場合、連携システム４においてはＩＤカードの利用を許可する。
【００４７】
「指示・無効」及び「指示・有効」は、ＩＤカードがユーザに配布されて一度有効になり、連携システム４において利用可能になった後に連携システム４において利用の可否を制御する場合に、入出力部１０３の入力に基づいて「指示・無効」又は「指示・有効」がカード情報ファイル１０２Ｃに格納される。
【００４８】
ステータスが「指示・無効」及び「指示・有効」の場合、発行管理装置１は発券機の排他制御及び発券機の発行許否制御を行わず、連携システム４における利用制御を行う。発行管理装置１は、ステータスが「指示・無効」の場合、連携システム４においてはＩＤカードの利用を許可せず、「指示・有効」の場合、連携システム４においてはＩＤカードの利用を許可する。
【００４９】
「期間前・無効」は、ＩＤカードが発行されたが、利用を許可する期間より前は連携システム４において利用ができないように制御する場合、発行管理装置１がバッチ処理によってカード情報ファイル１０２Ｃに格納する。
【００５０】
ステータスが「期間前・無効」の場合、発行管理装置１は発券機２の排他制御及び発券機の発行許否制御を行わず、連携システム４における利用制御を行う。発行管理装置１は、ステータスが「期間前・無効」の場合、連携システム４においてはＩＤカードの利用を許可しない。
【００５１】
「期限切れ・無効」は、ＩＤカードがユーザに配布されて一度有効になった後に有効期限が切れたことにより連携システム４において利用ができないように制御する場合に、入出力部１０３の入力に基づいて、或いはバッチ処理によってカード情報ファイル１０２Ｃに格納される。
【００５２】
ステータスが「期限切れ・無効」の場合、発行管理装置１は発券機の排他制御及び発券機の発行許否制御を行わず、連携システム４における利用制御を行う。発行管理装置１は、ステータスが「期限切れ・無効」の場合、連携システム４においてはＩＤカードの利用を許可しない。
【００５３】
図５は、発行管理装置１の制御部１０１によるカード情報生成処理動作を示すフローチャートである。図５に示すように、ステップ５０１において、発行管理装置１は、トランザクションデータを入力データとして個人情報管理システム３から受信する。
【００５４】
ステップ５０２において、発行管理装置１は受信したトランザクションデータをトランザクションファイル１０２Ａに格納する。
【００５５】
ステップ５０３において、発行管理装置１はトランザクションデータとユーザ情報ファイル１０２Ｂに格納されたデータとを比較し、差分をカード情報ファイル１０２Ｃに格納する。
【００５６】
具体的には、ユーザ情報ファイル１０２ＢにＩＤが０００１から０１００まで格納されており、トランザクションデータにＩＤが０００１から０１１０が含まれていた場合、発行管理装置１は差分のＩＤ０１０１からＩＤ０１１０のデータをカード情報ファイル１０２Ｃに新たに追加して格納する。
【００５７】
この際、「再発行番号」と「ステータス」の各フィールドがトランザクションデータに追加される。
【００５８】
ステップ５０４において、差分のうち新規に発生した個人情報のステータスを「発行予約」に変更する。
【００５９】
図６は、発行管理装置１の制御部１０１によるカード発券動作を示すフローチャートである。図６に示すように、ステップ６０１において、制御部１０１は発券機２から発行予約対象カード情報要求を受信する。
【００６０】
ここで、発行予約対象カード情報要求とは、カード情報ファイル１０２Ｃに格納されているステータスが「発行予約」であるデータを発行管理装置１に抽出させて発券機２に送信させる旨の信号である。
【００６１】
ステップ６０２において、制御部１０１は受信した発行予約対象カード情報要求に基づいてカード情報ファイル１０２Ｃを検索し、ステータスを読込む。
【００６２】
ステップ６０３において、制御部１０１はステータスが「排他中」でないかを判定する。
【００６３】
制御部１０１は、ステータスが「排他中」でない場合、ステップ６０４に進み、「排他中」である場合、ステップ６０５に進む。
【００６４】
ステップ６０４において制御部１０１はステータスが「発行委託中」でないかを判定する。
【００６５】
制御部１０１は、ステータスが「発行委託中」でない場合、ステップ６０６に進み、「発行委託中」である場合、ステップ６０５に進む。
【００６６】
ステップ６０５において、制御部１０１は発券機２の排他制御を実施する。
【００６７】
具体的には、制御部１０１は例えば発券を許可する発券機２にはＩＤカードの発行に必要な情報を送信し、他の発券機２にはエラーコードを送信し、他の発券機２には発券を禁止するように制御する。ここで、他の発券機２に発券を禁止する制御は、発行管理装置１が他の発券機２にエラーコードを送信する制御、又は発行管理装置１が他の発券機２に発行に必要な情報を送信しない制御を選択できる。
【００６８】
ステップ６０６において、制御部１０１はステータスが「発行予約」であるかを判定する。制御部１０１は、ステータスが「発行予約」である場合、ステップ６０７に進み、「発行予約」でない場合、ステップ６１０に進む。
【００６９】
ステップ６０７において、制御部１０１は「発行予約」である対象のカード情報のステータスを「排他中」に変更する。
【００７０】
ステップ６０８において、制御部１０１はＩＤカードをカード情報ファイル１０２Ｃに格納されているカード情報に基づいて発券機２に発券を指示する。
【００７１】
ステップ６０９において、制御部１０１は発券機２の排他制御を解除する。
【００７２】
ステップ６１０において、制御部１０１は入出力部１０３のディスプレイに当該ＩＤのＩＤカードは「排他中」若しくは「発行委託中」であるか、又はステータスが「発行予約」であるカード情報が無いため発券できない旨の警告をエラー表示し、処理を終了する。
【００７３】
図７は、発行管理装置１と連携システム４との動作を示すフローチャートである。図７に示すように、ステップ７０１において、連携システム４はカードリーダなどによってＩＤカードからＩＤを読込む。
【００７４】
ステップ７０２において、連携システム４は発行管理装置１に読込んだＩＤと問い合わせコマンドを送信する。
【００７５】
ステップ７０３において、発行管理装置１は連携システム４からＩＤと問い合わせコマンドを受信する。
【００７６】
ステップ７０４において、発行管理装置１は受信したＩＤに基づいてカード情報ファイル１０２Ｃを検索し、ステータスを読込む。
【００７７】
ステップ７０５において、発行管理装置１はステータスが「発行済み・有効」であるかを判定する。発行管理装置１はステータスが「発行済み・有効」である場合、ステップ７０８に進み、「発行済み・有効」でない場合、ステップ７０６に進む。
【００７８】
ステップ７０６において、発行管理装置１はステータスが「配布済み・有効」であるかを判定する。発行管理装置１はステータスが「配布済み・有効」である場合、ステップ７０８に進み、「配布済み・有効」でない場合、ステップ７０７に進む。
【００７９】
ステップ７０７において、発行管理装置１はステータスが「指示・有効」であるかを判定する。発行管理装置１はステータスが「指示・有効」である場合、ステップ７０８に進み、「指示・有効」でない場合、ステップ７０９に進む。
【００８０】
ステップ７０８において、発行管理装置１は連携システム４にＩＤと「使用許可」を示すコマンドを送信し、処理を終了する。
【００８１】
ステップ７０９において、発行管理装置１は連携システム４にＩＤと「使用拒否」を示すコマンドを送信し、処理を終了する。
【００８２】
図８は、発行管理装置１と連携システム４との動作の他の例を示すフローチャートである。図８に示すように、ステップ８０１において、発行管理装置１はカード情報ファイル１０２Ｃのカード情報を順次読み込み、さらにカード情報のステータスを読込む。
【００８３】
ステップ８０２において、発行管理装置１はステータスが「発行済み・有効」であるかを判定する。発行管理装置１はステータスが「発行済み・有効」である場合、ステップ８０５に進み、「発行済み・有効」でない場合、ステップ８０３に進む。
【００８４】
ステップ８０３において、発行管理装置１はステータスが「配布済み・有効」であるかを判定する。発行管理装置１はステータスが「配布済み・有効」である場合、ステップ８０５に進み、「配布済み・有効」でない場合、ステップ８０４に進む。
【００８５】
ステップ８０４において、発行管理装置１はステータスが「指示・有効」であるかを判定する。発行管理装置１はステータスが「指示・有効」である場合、ステップ８０５に進み、「指示・有効」でない場合、ステップ８０６に進む。
【００８６】
ステップ８０５において、発行管理装置１は当該カード情報を使用許可対象情報として第１の一時ファイルに抽出する。この抽出データにはＩＤと、再発行番号と、使用を許可する旨のフラグである使用許否情報と、が含まれる。
【００８７】
ステップ８０６において、発行管理装置１は当該カード情報を使用拒否対象情報として第２の一時ファイルに抽出する。この抽出データにはＩＤと、再発行番号と、使用を拒否する旨のフラグである使用許否情報と、が含まれる。
【００８８】
ステップ８０７において、発行管理装置１は第１の一時ファイルの抽出データと第２の抽出データとをマージすることにより結合し、送信ファイルを生成する。
【００８９】
ステップ８０８において、発行管理装置１は送信ファイルを連携システム４に送信する。
【００９０】
ステップ８０９において、連携システム４は送信ファイルを発行管理装置１から受信する。
【００９１】
ステップ８１０において、連携システム４は連携システム４が備えるカードリーダによってＩＤを入力する。
【００９２】
ステップ８１１において、連携システム４は、受信した送信ファイルを入力したＩＤに基づいて検索し、フラグを読込む。連携システム４は、読込んだフラグに基づいて当該ＩＤカードの使用許可又は使用拒否の別を判定する。
【００９３】
以上のべたように、本実施形態のＩＤカード発行管理装置１は、ユーザに固有に割り当てられる識別子であるＩＤごとにＩＤカードのステータスを格納するカード情報ファイル１０２Ｃと、通信回線網を介して複数の発券機２と通信を行う通信部１０４と、ステータスが発券機２の排他制御を示す場合、前記ＩＤカードの発券を行っている一つの発券機２にＩＤカードの発券を許可し、他の発券機にＩＤカードの発券を禁止する制御部と、を備える。
【００９４】
従って、ＩＤカードを発行する発券機が複数存在する場合でもＩＤカードが二重に発行されないという効果がある。
【００９５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１：ＩＤカード発行管理装置
２：発券機
１０１：制御部
１０２：記憶部
１０２Ａ：トランザクションファイル
１０２Ｂ：ユーザ情報ファイル
１０２Ｃ：カード情報ファイル
１０３：入出力部
１０４：連携システム
【図１】
2015219843.tif 000003
【図２】
2015219843.tif 000004
【図３】
2015219843.tif 000005
【図４】
2015219843.tif 000006
【図５】
2015219843.tif 000007
【図６】
2015219843.tif 000008
【図７】
2015219843.tif 000009
【図８】
2015219843.tif 000010